【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
ＯＣＴ測定光を用いて被検眼の断層情報を取得するＯＣＴ光学系と、
ＳＬＯ測定光を用いて前記被検眼の眼底情報を取得するＳＬＯ光学系と、
前記ＯＣＴ測定光の光路および前記ＳＬＯ測定光の光路のうち少なくとも一部を共有する、反射光学系で構成された共通光路と、
前記共通光路に設けられた分岐手段により分岐された前記ＯＣＴ測定光の戻り光の波面を測定する測定手段と、
前記共通光路から分岐した前記ＯＣＴ測定光の光路に設けられ、前記被検眼における色収差を補正する色収差補正手段と、
を有することを特徴とする眼底撮像装置。
【請求項２】
前記ＯＣＴ測定光および前記ＳＬＯ測定光を前記共通光路に導く導光手段を有し、
前記色収差補正手段は、
前記ＯＣＴ測定光を出射する光源と前記導光手段との間に設けられることを特徴とする請求項１に記載の眼底撮像装置。
【請求項３】
前記導光手段は、
前記ＯＣＴ測定光および前記ＳＬＯ測定光のうち一方の測定光を透過し他方の測定光を反射する第１の光学手段であることを特徴とする請求項２に記載の眼底撮像装置。
【請求項４】
前記光源から出射された光を前記ＯＣＴ測定光と参照光とに分割する分割手段と、
前記分割手段により分割された前記ＯＣＴ測定光を平行光にする第２の光学手段と、を有し、
前記色収差補正手段は、
前記第２の光学手段と前記導光手段との間に設けられることを特徴とする請求項２または３に記載の眼底撮像装置。
【請求項５】
前記共通光路に設けられる第１のフォーカス手段と、
前記共通光路から分岐した前記ＳＬＯ測定光の光路、および、前記共通光路から分岐した前記ＯＣＴ測定光の光路のうち少なくとも一方に設けられる第２のフォーカス手段と、
を有することを特徴とする請求項１ないし４の何れか１項に記載の眼底撮像装置。
【請求項６】
前記共通光路に設けられる第１のフォーカス手段と、
前記共通光路から分岐した前記ＳＬＯ測定光の光路に設けられる第２のフォーカス手段と、を有し、
前記第２のフォーカス手段は、
前記ＳＬＯ測定光を出射する光源と前記導光手段との間に設けられることを特徴とする請求項２ないし４の何れか１項に記載の眼底撮像装置。
【請求項７】
前記第２のフォーカス手段は、
前記ＳＬＯ測定光の光路、および、前記ＳＬＯ測定光が被検眼によって反射される戻り光の光路のうち少なくとも一部を共有する光路に設けられることを特徴とする請求項６に記載の眼底撮像装置。
【請求項８】
前記第１のフォーカス手段および前記第２のフォーカス手段を介して前記ＯＣＴ測定光および前記ＳＬＯ測定光が前記被検眼の所定の位置にフォーカスされるように制御する制御手段を有し、
前記制御手段は、
前記第１のフォーカス手段により前記ＯＣＴ測定光および前記ＳＬＯ測定光のフォーカスを制御した後に、前記第２のフォーカス手段により前記ＳＬＯ測定光のフォーカスを制御することを特徴とする請求項６または７に記載の眼底撮像装置。
【請求項９】
前記共通光路に設けられる第１のフォーカス手段と、
前記共通光路から分岐した前記ＯＣＴ測定光の光路に設けられる第２のフォーカス手段と、を有し、
前記第２のフォーカス手段は、
前記ＯＣＴ測定光を出射する光源と前記導光手段との間に設けられることを特徴とする請求項２ないし４の何れか１項に記載の眼底撮像装置。
【請求項１０】
前記測定手段が測定した波面に基づいて、前記測定光の波面を補正する補正手段を更に有し、
前記補正手段は、
前記分岐手段と前記被検眼との間に設けられることを特徴とする請求項１ないし９の何れか１項に記載の眼底撮像装置。
【請求項１１】
前記第１のフォーカス手段および前記第２のフォーカス手段を介して前記ＯＣＴ測定光および前記ＳＬＯ測定光が前記被検眼の所定の位置にフォーカスされるように制御する制御手段を有し、
前記制御手段は、
前記第１のフォーカス手段により前記ＯＣＴ測定光および前記ＳＬＯ測定光のフォーカスを制御した後に、前記第２のフォーカス手段により前記ＯＣＴ測定光のフォーカスを制御することを特徴とする請求項９に記載の眼底撮像装置。
【請求項１２】
前記第２のフォーカス手段のフォーカス調整範囲は、前記第１のフォーカス手段のフォーカス調整範囲よりも小さいことを特徴とする請求項５ないし９の何れか１項に記載の眼底撮像装置。
【請求項１３】
前記共通光路に設けられた、前記測定光を光軸に対して垂直な第１の方向に走査する第１の走査手段と、
前記共通光路に設けられた、前記測定光を前記光軸および前記第１の方向に対して垂直な第２の方向に走査する第２の走査手段と、
前記第１の走査手段と前記第２の走査手段との間に設けられた、正の屈折力を有するレンズとを更に有し、
前記レンズは、前記第１の走査手段により走査された前記測定光を、より広い入射角範囲で前記第２の走査手段に入射させることを特徴とする請求項１ないし１２の何れか１項に記載の眼底撮像装置。
【請求項１４】
前記色収差補正手段は、
前記ＯＣＴ測定光の波長の帯域について前記被検眼の眼底上のフォーカス位置を揃えることを特徴とする請求項１ないし１３の何れか１項に記載の眼底撮像装置。
【請求項１５】
前記共通光路に設けられ、前記ＯＣＴ測定光および前記ＳＬＯ測定光を光軸に対して垂直な第１の方向に走査する第１の走査手段と、
前記共通光路から分岐した前記ＯＣＴ測定光の光路に設けられ、前記ＯＣＴ測定光を前記光軸および前記第１の方向に対して垂直な第２の方向に走査する第２の走査手段と、
前記共通光路から分岐した前記ＳＬＯ測定光の光路に設けられ、前記ＳＬＯ測定光を前記第２の方向に走査する第３の走査手段と、を有することを特徴とする請求項１ないし１４の何れか１項に記載の眼底撮像装置。
【請求項１６】
ＯＣＴ測定光を用いて被検眼の断層情報を取得するＯＣＴ光学系と、
ＳＬＯ測定光を用いて前記被検眼の眼底情報を取得するＳＬＯ光学系と、
前記ＯＣＴ測定光の光路および前記ＳＬＯ測定光の光路のうち少なくとも一部を共有する、反射光学系で構成された共通光路と、
前記共通光路に設けられた分岐手段により分岐された前記ＯＣＴ測定光の戻り光の波面を測定する測定手段と、
前記共通光路から分岐した前記ＯＣＴ測定光の光路に設けられ、前記被検眼における色収差を補正する色収差補正手段と、
前記共通光路に設けられる第１のフォーカス手段と、
前記共通光路から分岐した前記ＳＬＯ測定光の光路に設けられる第２のフォーカス手段と、を有する眼底撮像装置を用いた眼底撮像方法であって、
前記第１のフォーカス手段により前記ＯＣＴ測定光および前記ＳＬＯ測定光のフォーカスを調整する第１のステップと、
前記第１のステップの後に、前記第２のフォーカス手段により前記ＳＬＯ測定光のフォーカスを調整する第２のステップと、を有することを特徴とする眼底撮像方法。
【請求項１７】
ＯＣＴ測定光を用いて被検眼の断層情報を取得するＯＣＴ光学系と、
ＳＬＯ測定光を用いて前記被検眼の眼底情報を取得するＳＬＯ光学系と、
前記ＯＣＴ測定光の光路および前記ＳＬＯ測定光の光路のうち少なくとも一部を共有する、反射光学系で構成された共通光路と、
前記共通光路に設けられた分岐手段により分岐された前記ＯＣＴ測定光の戻り光の波面を測定する測定手段と、
前記共通光路から分岐した前記ＯＣＴ測定光の光路に設けられ、前記被検眼における色収差を補正する色収差補正手段と、
前記共通光路に設けられる第１のフォーカス手段と、
前記共通光路から分岐した前記ＯＣＴ測定光の光路に設けられる第２のフォーカス手段と、を有する眼底撮像装置を用いた眼底撮像方法であって、
前記第１のフォーカス手段により前記ＯＣＴ測定光および前記ＳＬＯ測定光のフォーカスを調整する第１のステップと、
前記第１のステップの後に、前記第２のフォーカス手段により前記ＯＣＴ測定光のフォーカスを調整する第２のステップと、を有することを特徴とする眼底撮像方法。
【請求項１８】
コンピュータに、請求項１６または１７に記載の各ステップを実行させるためのプログラム。
【手続補正２】
【補正対象書類名】明細書
【補正対象項目名】０００８
【補正方法】変更
【補正の内容】
【０００８】
本発明の眼底撮像装置は、ＯＣＴ測定光を用いて被検眼の断層情報を取得するＯＣＴ光学系と、ＳＬＯ測定光を用いて前記被検眼の眼底情報を取得するＳＬＯ光学系と、前記ＯＣＴ測定光の光路および前記ＳＬＯ測定光の光路のうち少なくとも一部を共有する、反射光学系で構成された共通光路と、前記共通光路に設けられた分岐手段により分岐された前記OCT測定光の戻り光の波面を測定する測定手段と、前記共通光路から分岐した前記ＯＣＴ測定光の光路に設けられ、前記被検眼における色収差を補正する色収差補正手段と、を有することを特徴とする。